(57)【特許請求の範囲】
【請求項１】
シンクの底部に対してシンク開口部が形成されている排水容器と、
前記シンク開口部に向かって水を噴出可能なキッチン水栓と、
排水容器内に着脱可能に収納されるゴミかごと、
を備え、
前記排水容器は、排水管と接続されており、シンク開口部側に向かって延在する軸部材が底部に形成され、
前記ゴミかごは、
前記シンク開口部側にかご開口部が形成され、
前記ゴミかご内の水を前記排水容器に排出する複数の脱水孔と、
前記ゴミかごの底部に形成されるとともに、前記軸部材が挿入されることで前記ゴミかごを回転自在に支持する軸受部と、
前記ゴミかごの外周面のうち、前記排水容器と前記ゴミかごとの間で前記シンク開口部に露出する位置に、周方向において連続して形成される複数のフィンと、
を有し、
前記シンク開口部に形成されたフランジ部に係止されることで、前記シンク開口部を閉塞し、前記かご開口部と対向する位置に、蓋穴が形成される蓋をさらに備え、
前記蓋は、前記シンク開口部を閉塞した状態において前記複数のフィンと対向する位置に、前記キッチン水栓から噴出された水を前記複数のフィンの翼面に当てることができる噴出口が形成されることを特徴とするゴミ脱水システム。
【請求項２】
前記蓋は、前記蓋穴および前記噴出口が形成される外蓋と、前記蓋穴に形成されたフランジ部に係止されることで、前記蓋穴を閉塞する内蓋とで形成される請求項１に記載のゴミ脱水システム。
【請求項３】
前記複数のフィンは、前記ゴミかごの上部で、かつ、前記脱水孔がない位置に形成される請求項１または２に記載のゴミ脱水システム。
【請求項４】
前記内蓋は、透明あるいは半透明な材料で形成される請求項３に記載のゴミ脱水システム。
【請求項５】
前記キッチン水栓は、
前記シンクよりも上側に配置された本体部と、
前記本体部から分離され、前記水を噴出可能なノズル部と、
前記ノズル部を前記シンク開口部まで移動可能な伸縮部と、
を有する請求項１〜４のいずれか１つに記載のゴミ脱水システム。
【請求項６】
前記キッチン水栓は、前記ノズル部における前記水の噴出時における圧力および流量を切り替える切替機構をさらに有する請求項５に記載のゴミ脱水システム。
【発明の詳細な説明】
【技術分野】
【０００１】
本発明は、ゴミ脱水システムに関し、ゴミかごに捕集したゴミを脱水するゴミ脱水システムに関する。
【背景技術】
【０００２】
キッチンで発生する生ゴミは、多くの水分を含むため、家庭用ゴミの重量を増加する原因であるとともに悪臭の原因となる。従来のキッチンシステムでは、生ゴミなどの水分を含むゴミの固液分離が行われている。従来のキッチンシステムでは、シンクの底部に、排水管と接続された排水容器が設けられている。排水容器には、ゴミを捕集するゴミかごが着脱自在に挿入されている。ゴミかごは、ゴミかご内の水を排水容器に排出する複数の孔が形成されている。ゴミかご内のゴミの水分は、複数の孔を介して排水容器に排水として排出される。つまり、ゴミの固液分離は、ゴミを捕集したゴミかごにより行われる。ここで、ゴミかご内のゴミの固液分離が十分でないと、濡れたゴミを手で廃棄することとなり、大きなストレスとなる。
【０００３】
従来、特許文献１，２に示すように、ゴミかごを回転させてゴミかご内のゴミに遠心力を作用させることで、固液分離を促進させ、ゴミを脱水する技術が提案されている。特許文献１，２に記載された従来技術は、収納ケースに回転自在に支持された水切りかごの底部に周方向に連続する複数のフィンが形成されており、複数のフィンと水切りかごの径方向において対向する位置に、給水管から分岐された配管に接続されたノズルが設けられており、ノズルから噴出される水を複数のフィンに当てることでゴミかごを回転させるものである。
【先行技術文献】
【特許文献】
【０００４】
【特許文献１】特開平７−１６４９５号公報
【特許文献２】特開平７−１６４９７号公報
【発明の概要】
【発明が解決しようとする課題】
【０００５】
上記従来技術では、複数のフィンが水切りかごの底部に形成されているため、複数のフィンに水を当てるためのノズルを収納ケース内に設けることとなる。また、ノズルに、給水管から水を直接供給することとなる。
【０００６】
本発明は、上記に鑑みてなされたものであって、簡単な構成で、ゴミかご内のゴミの固液分離を促進させることができるゴミ脱水システムを提供することを目的とする。
【課題を解決するための手段】
【０００７】
上述した課題を解決し、目的を達成するために、本発明のゴミ脱水システムは、シンクの底部に対してシンク開口部が形成される排水容器と、前記シンク開口部に向かって水を噴出可能なキッチン水栓と、排水容器内に着脱可能に収納されるゴミかごと、を備え、前記排水容器は、排水管と接続されており、シンク開口部側に向かって延在する軸部材が底部に形成され、前記ゴミかごは、前記シンク開口部側にかご開口部が形成され、前記ゴミかご内の水を前記排水容器に排出する複数の脱水孔と、前記ゴミかごの底部に形成されるとともに、前記軸部材が挿入されることで前記ゴミかごを回転自在に支持する軸受部と、前記ゴミかごの外周面のうち、前記排水容器と前記ゴミかごとの間で前記シンク開口部に露出する位置に、周方向において連続して形成される複数のフィンと、を有し、前記シンク開口部に形成されたフランジ部に係止されることで、前記シンク開口部を閉塞し、前記かご開口部と対向する位置に、蓋穴が形成される蓋をさらに備え、前記蓋は、前記シンク開口部を閉塞した状態において前記複数のフィンと対向する位置に、前記キッチン水栓から噴出された水を前記複数のフィンの翼面に当てることができる噴出口が形成されることを特徴とする。
【０００８】
上記ゴミ脱水システムにおいて、前記蓋は、前記蓋穴および前記噴出口が形成される外蓋と、前記蓋穴に形成されたフランジ部に係止されることで、前記蓋穴を閉塞する内蓋とで形成されることが好ましい。
【０００９】
上記ゴミ脱水システムにおいて、前記複数のフィンは、前記ゴミかごの上部で、かつ、前記脱水孔がない位置に形成されることが好ましい。
【００１０】
上記ゴミ脱水システムにおいて、前記キッチン水栓は、前記シンクよりも上側に配置された本体部と、前記本体部から分離され、前記水を噴出可能なノズル部と、前記ノズル部を前記シンク開口部まで移動可能な伸縮部と、を有することが好ましい。
【００１１】
上記ゴミ脱水システムにおいて、前記キッチン水栓は、前記ノズル部における前記水の噴出時における圧力および流量を切り替える切替機構をさらに有することが好ましい。
【発明の効果】
【００１２】
本発明に係るゴミ脱水システムによれば、キッチン水栓から噴出する水をシンク開口部から複数のフィンに当てることで、ゴミかごを回転させてゴミかご内に捕集されたゴミに遠心力を作用させることができる。従って、排水容器内に複数のフィンを回転させるためのノズルなどを設けることがないので、簡単な構成で、ゴミかご内のゴミの固液分離を促進させることができる。
【図面の簡単な説明】
【００１３】
【図１】図１は、実施形態にかかるゴミ脱水システムを備えるキッチンシステムの概略構成例を示す図である。
【図２】図２は、実施形態にかかるゴミかご等の概略構成例を示す図である。
【図３】図３は、実施形態にかかるゴミかご等の要部断面図である。
【図４】図４は、キッチン水栓の概略構成例を示す図である。
【図５】図５は、動作（ゴミ捕集時）説明図である。
【図６】図６は、動作（ゴミ脱水時）説明図である。
【発明を実施するための形態】
【００１４】
以下、本発明につき図面を参照しつつ詳細に説明する。なお、下記の実施形態により本発明が限定されるものではない。また、下記の実施形態における構成要素には、当業者が容易に想定できるもの、あるいは実質的に同一のものが含まれる。
【００１５】
本実施形態にかかるゴミ脱水システムは、キッチンシステムに既存のキッチン水栓から噴出される水を用いてゴミかごを回転させ、ゴミかご内のゴミを脱水するものである。図１は、実施形態にかかるゴミ脱水システムを備えるキッチンシステムの概略構成例を示す図である。図２は、実施形態にかかるゴミかご等の概略構成例を示す図である。図３は、実施形態にかかるゴミかご等の要部断面図である。図４は、キッチン水栓の概略構成例を示す図である。図５は、動作（ゴミ捕集時）説明図である。図６は、動作（ゴミ脱水時）説明図である。
【００１６】
図１に示すように、本実施形態にかかるゴミ脱水システム１は、キッチンシステム１００に設けられるものである。ここで、キッチンシステム１００は、本体１０１と、シンク１０２と、給水管１０３と、給水管１０３から後述するキッチン水栓３に上水を供給する配管１０４と、後述する排水容器２と接続する排水管１０５とを備えるものである。
【００１７】
ゴミ脱水システム１は、図２〜図４に示すように、排水容器２と、キッチン水栓３と、ゴミかご４と、外蓋５と、内蓋６とを備えるものである。
【００１８】
排水容器２は、図２，３に示すように、有底円筒形状であり、シンク１０２の底部１０２ａよりも下側に形成されている。排水容器２は、底部２１と反対側に開口部であるシンク開口部２２が形成されている。シンク開口部２２は、シンク１０２の底部１０２ａと同一平面で開口するように形成されている。つまり、シンク１０２の底部１０２ａに排水容器２のシンク開口部２２が形成されている。排水容器２は、外周面のうち底部側において排水管１０５と接続されている。従って、排水容器２内の水は、排水管１０５を介して下水に排出される。
【００１９】
排水容器２は、軸部材２３を備える。軸部材２３は、排水容器２の底部２１に形成されている。軸部材２３は、シンク開口部側に向かって延在して形成されている。排水容器２は、シンク開口部２２にフランジ部２４が形成されている。フランジ部２４は、外蓋５がシンク開口部２２に挿入された際に接触することで、外蓋５を排水容器２に対して係止するものである。
【００２０】
キッチン水栓３は、図１，４に示すように、キッチンシステム１００の本体１０１に設けられるものである。キッチン水栓３は、配管１０４を介して給水管１０３から供給された水を噴出するものである。キッチン水栓３は、本体部３１と、ノズル部３２と、伸縮部３３と、切替機構３４とを備えるものである。
【００２１】
本体部３１は、シンク１０２よりも上側、実施形態ではシンク１０２の溢れ面よりも上側の位置で本体１０１に固定されている。本体部３１は、配管１０４を介して給水管１０３と接続されている。ノズル部３２は、本体部３１から分離され、本体部３１に供給された水を噴出することができるものである。ノズル部３２の先端面には、図示は省略するが複数の吐水口が形成されている。伸縮部３３は、本体部３１とノズル部３２と接続されており、その形状を変化させることができ、本体部３１からノズル部３２に水を供給するものである。伸縮部３３は、通常本体部３１内部に収納されている。ノズル部３２は、伸縮部３３の収納状態では、本体部３１に保持されている。ノズル部３２を本体部３１から分離する際には、伸縮部３３が本体部３１から突出し、ノズル部３２と本体部３１との相対距離を長くすることができる。ここで、伸縮部３３は、ノズル部３２と本体部３１との相対距離がノズル部３２をシンク開口部２２まで移動することができる長さとなるように設定されている。従って、本体部３１からノズル部３２を分離し、ノズル部３２をシンク開口部２２の近傍まで移動させることで、ノズル部３２をシンク開口部２２に近づけた状態で、後述するゴミかご４の複数のフィン４５の翼面４５ａにノズル部３２から噴出した水を当てることができる。つまり、キッチン水栓３は、シンク開口部２２に向かって水を噴出することができる。また、本体部３１と、ノズル部３２とが伸縮部３３により連結されているので、ユーザーがノズル部３２の複数のフィン４５に対する向きを自由に設定することができる。従って、後述するゴミかご４の回転力を増大することができ、ゴミかご４内のゴミの固液分離を促進させることができる。
【００２２】
切替機構３４は、ノズル部３２における水の噴出時における圧力および流量を切替えるものである。切替機構３４は、本実施形態では、２種類の水流を切り替えるものである。切替機構３４は、切替ボタン３４ａを備え、ユーザーが切替ボタン３４ａを操作することで、２種類の水流のいずれかを選択することができる。ここで、２種類の水流は、図４の矢印Ａに示すように、図示しない多数の吐出口から水が噴出されることで、噴出時における水の圧力が低く、流量が多い水流と、図４の矢印Ｂに示すように、図示しない１つの吐出口（多数の吐出口よりも径は大きい）から水が噴出されることで、噴出時における水の圧力が高く、流量が少ない水流とである。つまり、ユーザーは、切替ボタン３４ａを操作することで、ゴミかご４を回転させる場合に噴出時における圧力が高く、流量が少ない水をノズル部３２から噴出させることができ、ゴミかご４を回転させる以外で水を用いる場合（例えば、調理や洗浄など）に、噴出時における圧力が低く、流量が多い水をノズル部３２から噴出させることができる。従って、切替機構３４により、ユーザーのキッチンシステム１００の使用時における利便性を向上することができる。なお、切替機構３４の構造は、周知技術であるので、ここではその説明を省略する。
【００２３】
ゴミかご４は、図２，３に示すように、有底円筒形状であり、排水容器２内に着脱可能に収納されている。ゴミかご４は、底部４１と反対側に開口部であるかご開口部４２が形成されている。つまり、かご開口部４２は、ゴミかご４が排水容器２内に収納された状態で、シンク開口部側に形成されている。ここで、ゴミかご４の回転軸方向の長さは、排水容器２内に収納された状態で、シンク開口部側の先端部が排水容器２のフランジ部２４よりも底部側となるように設定されている。ゴミかご４は、複数の脱水孔４３が形成されている。複数の脱水孔４３は、ゴミかご４内の水を排水容器２に排出するものである。複数の脱水孔４３は、本実施形態では、ゴミかご４の底部４１や外周面において、内壁面から外壁面まで貫通して形成されている。
【００２４】
ゴミかご４は、軸受部４４を備える。軸受部４４は、ゴミかご４の底部４１に形成されている。軸受部４４は、上記軸部材２３が挿入されることで、ゴミかご４を回転自在に支持するものである。軸受部４４は、有底円筒形状であり、底部４１の外壁面に対して開口部を有し、底部４１の外壁面からかご開口部側（シンク開口部側）に向かって延在して形成されている。軸部材２３は、軸受部４４に挿入されているのみであるので、ゴミかご４が排水容器２に収納されている状態で、ユーザーがゴミかご４をシンク開口部側に引き上げることで、ゴミかご４を排水容器２から取り出すことができる。
【００２５】
ゴミかご４は、複数のフィン４５を備える。複数のフィン４５は、ゴミかご４の外周面のうち、排水容器２とゴミかご４との間でシンク開口部２２に露出する位置に、周方向において連続して形成されている。各フィン４５は、ゴミかご４の外周面からゴミかご４の径方向外側に向かって延在して形成されている。ここで、複数のフィン４５は、ゴミかご４が排水容器２内に収納された状態で、ゴミかご４の径方向における先端部が排水容器２の内壁面に接触しない大きさに設定される。なお、符号４６は、かご開口部４２に形成されたフランジ部である。
【００２６】
外蓋５は、図２，３に示すように、リング状に形成される。外蓋５の直径は、排水容器２のシンク開口部２２の直径よりも小さく、フランジ部２４の直径よりも大きく設定されている。従って、外蓋５は、排水容器２に挿入されると、フランジ部２４に接触することで、排水容器２に対して係止され、シンク開口部２２を閉塞する。
【００２７】
外蓋５には、表面から裏面まで貫通する蓋穴５１が形成されている。蓋穴５１は、外蓋５がシンク開口部２２に挿入され、フランジ部２４により係止された状態で、ゴミかご４のかご開口部４２と対向するように形成されている。なお、蓋穴５１の直径は、シンク開口部２２の挿入された蓋穴５１からシンク１０２内の水あるいはゴミがゴミかご４内に入り込むことができるものであればよい。例えば、蓋穴５１の直径は、かご開口部４２の直径以上、あるいはゴミかご４のフランジ部４６の直径以下であることが好ましい。
【００２８】
外蓋５は、蓋穴５１にフランジ部５２が形成されている。フランジ部５２は、内蓋６が蓋穴５１に挿入された際に接触することで、内蓋６を外蓋５に対して係止するものである。
【００２９】
外蓋５には、噴出口５３が形成されている。噴出口５３は、外蓋５が排水容器２に挿入され、シンク開口部２２を閉塞した状態において、複数のフィン４５と対向する位置に、表面から裏面まで貫通して形成されている。噴出口５３は、キッチン水栓３のノズル部３２から噴出された水を複数のフィン４５の翼面４５ａに当てることができるように形成されている。本実施形態では、噴出口５３は、ノズル部３２から噴出された水の流れを阻害しないように形成されている。図６に示すように、キッチン水栓３のノズル部３２から噴出された水を複数のフィン４５の翼面４５ａに当てる場合、ユーザーは、シンク開口部側から複数のフィン４５の翼面４５ａに対して、水平方向に対して傾斜して（同図矢印Ｗ）ノズル部３２から噴出された水を当てることとなる。従って、噴出口５３は、ノズル部３２から噴出された水の流れ、すなわち水平方向に対して傾斜した流れを阻害しないように、傾斜面５３ａが形成されている。噴出口５３は、例えば、別部材を挿入することにより閉塞することができる。符号５４は、ノズル部３２から噴出された水を効率良く噴出口５３に流入させるための案内板である。案内板５４は、本実施形態では、噴出口５３の一部を囲むようにＵ字状に形成されている。なお、噴出口５３は、ノズル部３２から噴出された水の流れを積極的に変更して、噴出口５３から噴出された水が複数のフィン４５の翼面４５ａに当たるように形成されていてもよい。この場合は、ユーザーが噴出口５３に対するノズル部３２の向きを設定しなくてもよいので、ゴミかご４は安定した回転力を得ることができ、ゴミかご４内のゴミの固液分離を安定して促進させることができる。
【００３０】
内蓋６は、図２，３に示すように、円板状に形成されている。内蓋６の直径は、外蓋５の蓋穴５１の直径よりも大きく、フランジ部５２の直径よりも小さく設定されている。従って、内蓋６は、外蓋５に挿入されると、フランジ部５２に接触することで、外蓋５に対して係止され、蓋穴５１を閉塞する。内蓋６の表面には、径方向に対向して裏面に向かって凹む凹部６１，６２が形成されている。この凹部６１，６２は、内蓋６により蓋穴５１を閉塞する際、あるいは外蓋５のフランジ部５２に係止された内蓋６を外蓋５から取り外す際に、ユーザーが内蓋６を摘むためのものである。内蓋６は、蓋穴５１を閉塞するので、外蓋５とともに、シンク１０２と排水容器２とを隔離することができる。従って、ゴミかご４がシンク開口部２２から露出することがなくなり、ゴミかご４の回転中においてユーザーがゴミかご４に接触することを抑制することができる。また、ゴミかご４の回転によりゴミかご４内のゴミを脱水している際に、ゴミから分離された水分が蓋穴５１を介してシンク側に飛び散ることを抑制することができる。
【００３１】
ここで、内蓋６は、透明あるいは半透明な材料で形成されることが好ましい。内蓋６が透明あるいは半透明であると、内蓋６により蓋穴５１を閉塞しても、ゴミかご４内をユーザーが視認することができる。これにより、ユーザーは、回転中のゴミかご４の状態を視認することができるので、ゴミの脱水状況を確認することができる。
【００３２】
次に、実施形態に係るゴミ脱水システム１の組立ておよびゴミの脱水動作について説明する。まず、図３に示すように、まず排水容器２内にゴミかご４を収納する。このとき、軸受部４４に軸部材２３を挿入することで、ゴミかご４が排水容器２に対して回転自在に支持される。
【００３３】
次に、図５に示すように、排水容器２内にゴミかご４を収納した状態で、外蓋５をシンク開口部２２に挿入する。挿入された外蓋５は、フランジ部２４に係止され、シンク開口部２２を閉塞する。つまり、外蓋５は、排水容器２とゴミかご４との間を閉塞する。従って、複数のフィン４５がシンク開口部２２から露出することがなくなり、ゴミかご４の回転中においてユーザーが回転している複数のフィン４５に接触することを抑制することができる。従って、安全性を向上することができる。ユーザーは、外蓋５によりシンク開口部２２が閉塞されている状態で、例えば、調理や洗浄などでキッチン水栓３およびシンク１０２を使用する。このとき、ゴミかご４には、シンク開口部２２を外蓋５で閉塞することで、シンク１０２内の水が蓋穴５１を介して流入し、シンク１０２内のゴミＧが捕集される。従って、排水容器２とゴミかご４との間にゴミＧが落下することを抑制することができる。なお、ゴミかご４に流入した水は、複数の脱水孔４３を介して排水容器２に排出され、排水管１０５を介して下水に排出される。
【００３４】
次に、ゴミかご４内のゴミＧを脱水する。図６に示すように、内蓋６を蓋穴５１に挿入する。挿入された内蓋６は、フランジ部５２に係止され、蓋穴５１を閉塞する。ユーザーは、キッチン水栓３のノズル部３２を本体部３１から分離し、シンク開口部２２の近傍、本実施形態では、噴出口５３近傍に配置する。ユーザーは、切替ボタン３４ａを操作することで、ノズル部３２から噴出時における圧力が高く、流量が少ない水を噴出させる。そして、ユーザーは、噴出している水が噴出口５３を介して、複数のフィン４５の翼面４５ａに当たるようにノズル部３２の向きを調整し、ノズル部３２から噴出する水の向きを調整する（同図矢印Ｗ）。ゴミかご４は、噴出している水が噴出口５３を介して、複数のフィン４５の翼面４５ａに当たると、その水流により回転力が発生し、軸受部４４を中心に回転する。ゴミかご４が回転し始めても、ノズル部３２から噴出している水は、噴出口５３を介して、複数のフィン４５の翼面４５ａに当たり続けるので、ゴミかご４が回転し続ける。従って、シンク開口部２２を外蓋５で閉塞しても、噴出口５３を介してキッチン水栓３のノズル部３２から噴出する水を複数のフィン４５の翼面４５ａに当てることができる。ゴミかご４の回転中は、ゴミかご４内のゴミＧに遠心力が作用する。ゴミＧは、遠心力によりゴミかご４の内壁面に押しつけられ、水分が複数の脱水孔４３を介して排水容器２に排出され、ゴミＧが脱水される。ユーザーは、ゴミかご４内のゴミＧの脱水が完了した後、内蓋６および外蓋５をシンク開口部２２から取り外し、ゴミかご４を排水容器２から取り外して、ゴミかご４内の脱水されたゴミＧを廃棄する。なお、複数のフィン４５の翼面４５ａに当たった水は、ゴミかご４の外周面あるいは排水容器の２の内周面を伝い、排水管１０５を介して下水に排出される。従って、ゴミかご４の回転中にゴミかご４および排水容器２が水にさらされることにより、ゴミかご４および排水容器２の汚れを洗浄することができる。これにより、ユーザーによる排水容器２およびゴミかご４の清掃を簡略化することができる。
【００３５】
本実施形態に係るゴミ脱水システム１では、キッチン水栓３から噴出する水を利用して、ゴミかご４を回転させてゴミかご４内に捕集されたゴミＧを脱水することができる。従って、排水容器２内に複数のフィン４５を回転させるためのノズルなどを設けなくてもよい。また、上記ノズルから水を噴出するために、キッチン水栓３に水を供給する配管１０４を分岐してノズルに水を供給しなくてもよい。また、配管１０４を分岐してノズルに水を供給しなくてもよいので、シンク１０２の溢れ面よりも上部に上記ノズルに対応する大気開放弁を設けなくてもよい。これらのことから、簡単な構成で、ゴミかご内のゴミの固液分離を促進させることができ、ゴミを脱水することができる。また、配管１０４を分岐しなくても良いので、大気開放弁をシンク１０２の溢れ面よりも上部に設けなくてもよいので、キッチンシステム１００の美観が損なわれることを抑制することができる。また、シンク１０２の洗浄時に、キッチン水栓３を使用している場合は、そのままゴミかご４を回転させて、ゴミかご４内のゴミＧの脱水を行うことができる。従って、シンク１０２の洗浄とゴミＧの脱水を一連の動作として行うことができ、利便性を向上することができる。
【００３６】
なお、上記実施形態では、ゴミかご４を内蓋６により蓋穴５１を閉塞した状態で回転させる場合について説明したが、これに限定されるものではなく、内蓋６により蓋穴５１を閉塞していない状態でゴミかご４を回転させても良い。また、上記実施形態では、ゴミかご４を外蓋５によりシンク開口部２２を閉塞した状態で回転させる場合について説明したが、これに限定されるものではなく、外蓋５によりシンク開口部２２を閉塞していない状態でゴミかご４を回転させても良い。
【００３７】
また、上記実施形態では、複数のフィン４５の翼面４５ａがゴミかご４の回転軸方向と平行に形成されているが、これに限定されるものではなく、翼面４５ａと噴出された水との接触角が直角となるような形状であってもよい。
【産業上の利用可能性】
【００３８】
以上のように、本発明にかかるゴミ脱水システムは、ゴミかごに捕集したゴミを脱水するゴミ脱水システムに有用であり、特に、簡単な構成で、ゴミかご内のゴミの固液分離を促進させるのに適している。
【符号の説明】
【００３９】
１      ゴミ脱水システム
２      排水容器
２２    シンク開口部
２３    軸部材
２４    フランジ部
３      キッチン水栓
３１    本体部
３２    ノズル部
３３    伸縮部
３４    切替機構
４      ゴミかご
４２    かご開口部
４３    脱水孔
４４    軸受部
４５    フィン
５      外蓋
５１    蓋穴
５２    フランジ部
５３    噴出口
６      内蓋
１００  キッチンシステム
１０１  本体
１０２  シンク
１０３  給水管
１０４  配管
１０５  排水管
【図１】
0005635276.tif 000002
【図２】
0005635276.tif 000003
【図３】
0005635276.tif 000004
【図４】
0005635276.tif 000005
【図５】
0005635276.tif 000006
【図６】
0005635276.tif 000007